(57)【特許請求の範囲】
【請求項１】
像担持体に対向する面が開口する帯電器の帯電線を、一対の清掃パッドでその合面が前記像担持体の対向面と平行になるように挟んで帯電線に沿って移動することによって帯電線を清掃する帯電器の清掃具において、
前記清掃具は、
前記帯電器の反開口側で支持されて像担持体の対向面に対して垂直方向に立設し、帯電線に沿って移動する支柱と、
前記支柱に、像担持体の対向面に対して垂直方向に移動自在に支持されているパッド支持体とを備えるとともに、
前記パッド支持体は、
帯電線を挟んで像担持体側とは反対側の清掃パッドを、前記像担持体の対向面に平行な面を帯電線に向けるよう支持するとともに、
像担持体側の清掃パッドを、帯電線を清掃する場合の合面を形成する位置と、帯電線を交換する場合の合面を形成しない位置との間を、帯電線の軸直角平面内で回動可能とし、
パッド支持体を支柱から取り外すことなく帯電線を交換可能に構成したことを特徴とする帯電器の清掃具。
【発明の詳細な説明】
【０００１】
【産業上の利用分野】
本発明は、複写機やプリンタ等の画像形成装置の帯電器に張設された帯電線を清掃するための清掃具に関する。
【０００２】
【従来の技術】
例えば複写機においては、図５に示すように像担持体である感光体１０１の下方に転写帯電器１０４が配設され、該転写帯電器１０４には帯電線１２８が感光体１０１の長さ方向（図５の紙面垂直方向）に張設されている。
【０００３】
而して、上記転写帯電器１０４は感光体１０１上に担持された未定着現像剤像を不図示の転写材上に転写させるが、帯電線１２８には異物や汚れが経時的に付着してその放電能力が低下するため、該帯電線１２８を定期的に清掃して転写帯電器１０４に高い帯電能力を確保しておく必要がある。
【０００４】
そこで、図５に示すように転写帯電器１０４に清掃具１３０を設け、この清掃具１３０によって帯電線１２８を定期的に清掃することが従来から行われている。この清掃具１３０は、図６に詳細に示すように、帯電線１２８を左右両側から挟み込む清掃パッド１３４ａ，１３４ｂを有し、これを帯電線１２８の長さ方向（図５及び図６の紙面垂直方向）に沿って手動又は電動で移動させることによって帯電線１２８が清掃されていた。
【０００５】
ところで、図５に示す従来の清掃具１３０にあっては、これを転写帯電器１０４から外すことなく帯電線１２８の交換を行うことができるようにするため、清掃パッド１３４ａ，１３４ｂはその合面（清掃面）Ｓ２が感光体１０１の対向面Ｓ１に対して垂直になるように配置されていた。
【０００６】
【発明が解決しようとする課題】
しかしながら、清掃パッド１３４ａ，１３４ｂを上述のように配置すると、帯電線１２８の感光体１０１に対向する面（上面）を清掃パッド１３４ａ，１３４ｂによって完全には清掃し切れず、帯電線１２８の放電能力向上の点からは改善の余地があった。
【０００７】
そこで、図７に示すように、一対の清掃パッド２３４ａ，２３４ｂをその合面（清掃面）Ｓ２が感光体２０１の対向面Ｓ１に対して平行になるよう配置する構成が考えられるが、この構成によれば一方のパッド２３４ａが感光体２０１と帯電線２２８の間に位置することとなるため、帯電線２２８を交換する際の作業性が著しく悪化するという問題が発生する。
【０００８】
本発明は上記問題に鑑みてなされたもので、その目的とする処は、帯電線を作業性良く交換することができるとともに、帯電線を確実に清掃してその放電能力の更なる向上を図ることができる帯電器の清掃具を提供することにある。
【０００９】
上記目的を達成するため、像担持体に対向する面が開口する帯電器の帯電線を、一対の清掃パッドでその合面が前記像担持体の対向面と平行になるように挟んで帯電線に沿って移動することによって帯電線を清掃する帯電器の清掃具において、
前記清掃具は、
前記帯電器の反開口側で支持されて像担持体の対向面に対して垂直方向に立設し、帯電線に沿って移動する支柱と、
前記支柱に、像担持体の対向面に対して垂直方向に移動自在に支持されているパッド支持体とを備えるとともに、
前記パッド支持体は、
帯電線を挟んで像担持体側とは反対側の清掃パッドを、前記像担持体の対向面に平行な面を帯電線に向けるよう支持するとともに、
像担持体側の清掃パッドを、帯電線を清掃する場合の合面を形成する位置と、帯電線を交換する場合の合面を形成しない位置との間を、帯電線の軸直角平面内で回動可能とし、
パッド支持体を支柱から取り外すことなく帯電線を交換可能に構成したことを特徴とする。
【００１１】
【作用】
請求項１記載の発明によれば、一対の清掃パッドはその合面（清掃面）が像担持体の対向面と平行になるように配置されるため、帯電線の像担持体に対向する面（像担持体に対する放電に最も寄与する面）が清掃パッドによって確実に清掃され、該帯電線の放電能力がより一層高められる。又、像担持体側の一方の清掃パッドを、帯電線を清掃する場合の合面を形成する位置と、帯電線を交換する場合の合面を形成しない位置との間を、帯電線の軸直角平面内で回動可能とし、パッド支持体を支柱から取り外すことなく帯電線を交換可能に構成したため、帯電線を作業性良く交換することが可能となる。
【００１３】
【実施例】
以下に本発明の一実施例を添付図面に基づいて説明する。
【００１４】
図１は本発明に係る清掃具を備える転写帯電器及び感光体の断面図、図２は本発明に係る清掃具の清掃時の状態を示す断面図、図３は同清掃具の帯電線交換時の状態を示す断面図、図４は複写機の縦断面図である。
【００１５】
先ず、図４に基づいて複写機の概略構成を説明する。
【００１６】
複写機の本体１０内には像担持体である円筒状の感光体１が回転自在に収納されており、該感光体１の周囲には一次帯電器２、現像装置３、転写帯電器４、分離帯電器５、クリーナ６等のプロセス機器が配されている。そして、現像装置３の上方には、現像剤であるトナーを補給するためのホッパー７が設置されている。
【００１７】
又、装置本体１０の一側（図４の右側）には、複数枚の転写材Ｐを積層収容して成る給紙カセット１１，１２，１３が上下３段に亘って設けられており、給紙カセット１１の上方には手差し用の給紙トレイ１４が設けられている。
【００１８】
而して、各給紙カセット１１，１２，１３或は手差し用の給紙トレイ１４から供給される転写材Ｐは装置本体１０内を図４の右方から左方に向かって搬送されるが、その搬送経路にはレジストローラ１５、ベルト搬送装置１６、定着前ガイド１７、定着装置１８及び排出ローラ１９等が配されている。
【００１９】
他方、装置本体１０内の上部には、光学系を構成するランプ２０、反射ミラー２１〜２４、光学系レンズ２５等が配されている。
【００２０】
而して、装置本体１０の上面に設けられた原稿載置台２６上にセットされた不図示の原稿は光学系によって読み取られ、原稿に対応する光像が図示矢印方向に回転する感光体１上に露光されると、前記一次帯電器２によってその表面が帯電された感光体１上には原稿像に対応する静電潜像が形成され、この静電潜像は前記現像装置５によって現像されてトナー像として顕画化される。
【００２１】
一方、例えば給紙カセット１１からは転写材Ｐが供給され、該転写材Ｐは前記レジストローラ１５によってタイミングを合わされて感光体１と転写帯電器４との間の転写部に送られ、感光体１上に形成された前記トナー像の転写を受け、その後、前記分離帯電器５の作用によって感光体１から分離される。
【００２２】
そして、感光体１から分離された転写材Ｐは、前記ベルト搬送装置１６によって前記定着装置１８に送られ、該定着装置１８によってトナー像の定着を受けた後、前記排出ローラ１９によって装置本体１０外に排出される。
【００２３】
ここで、本発明に係る清掃具３０を図１乃至図３に基づいて説明する。
【００２４】
前記転写帯電器４は、図１に示すように、その上面（感光体１に対向する面）が開口するチャンネル状のシールド板２７に帯電線２８を感光体１の軸方向（図１の紙面垂直方向）に張設して構成され、シールド板２７の下部にはガイド溝２９が感光体１の軸方向に長く形成されている。尚、シールド板２７の底面には、感光体１の軸方向に長い切欠溝２７ａが形成されている。
【００２５】
而して、上記転写帯電器４のシールド板２７で囲まれる空間内には、本発明に係る清掃具３０が帯電線２８に沿って（つまり、感光体１の軸方向に）移動自在に設けられている。この清掃具３０は、シールド板２７の下部に形成された前記ガイド溝２９に摺動自在に嵌合するスライドベース３１を有しており、該スライドベース３１上には支柱３２が立設されており、この支柱３２はシールド板２７の底面に形成された前記切欠溝２７ａを貫通してシールド板２７で囲まれる空間内に臨んでいる。そして、この支柱３２にはパッド支持体３３が上下動自在（感光体１の対向面Ｓ１に対して垂直方向に移動自在）に支持されている。
【００２６】
上記パッド支持体３３は樹脂にて一体成形され、これは、前記支柱３２に上下動自在に嵌合する筒状のガイド部３３ａと、該ガイド部３３ａから一体に延出する支持アーム３３ｂと、ガイド部３３ａから水平に延出した後にＵ字状に湾曲する支持アーム３３ｃを有しており、一方の支持アーム３３ｂは屈曲自在な弾性部３３ｂ−１を中心として上下方向（帯電線２８の軸直角平面内で図３の矢印方向）に回動自在に構成され、その先部には係合溝３３ｂ−２が形成されている。
【００２７】
又、他方の支持アーム３３ｃは、ガイド部３３ａから水平に延出する水平部３３ｃ−１とＵ字状に成形された係合部３３ｃ−２とで構成されており、係合部３３ｃ−２の先部には鍵状の係合突起３３ｃ−３が形成されている。そして、一方の支持アーム３３ｂの前記弾性部３３ｂ−１に近い部分には清掃パッド３４ａが取り付けられており、他方の支持アーム３３ｃの水平部３３ｃ−１には同様の清掃パッド３４ｂが取り付けられている。
【００２８】
ところで、通常の状態（つまり、帯電線２８を交換するとき以外の状態）においては、清掃具３０の支持アーム３３ｂは図１及び図２に示すように弾性部３３ｂ−１を中心に略直角に折り曲げられ、その先部には他方の支持アーム３３ｃの係合突起３３ｃ−３が係合して図示状態に保たれており、このとき、帯電線２８は両清掃パッド３４ａ，３４ｂによって上下から挟み込まれており、両清掃パッド３４ａ，３４ｂの合面（清掃面）Ｓ２は図１に示すように感光体１の対向面Ｓ１に対して平行に保たれている。尚、このとき、パッド支持体３３は帯電線２８によって支持されている。
【００２９】
而して、帯電線２８を清掃するとき以外の通常状態においては、清掃具３０は図１に示す状態で転写帯電器４の軸方向一端で待機しており、帯電線２８の清掃が必要な時点で該清掃具３０は手動で又は電動モータ等によって自動的に帯電線２８に沿って移動せしめられ、帯電線２８はこれを上下方向から挟み込むパッド３４ａ，３４ｂによって清掃され、これに付着したトナー等の異物や汚れが除去される。
【００３０】
以上のように、本実施例においては、一対の清掃パッド３４ａ，３４ｂはその合面（清掃面）Ｓ２が感光体１の対向面Ｓ１と平行になるように配置されるため、帯電線２８の感光体１に対向する上面（感光体１に対する放電に最も寄与する面）が清掃パッド３４ａ，３４ｂによって確実に清掃され、該帯電線２８の放電能力がより一層高められる。
【００３１】
ところで、帯電線２８を交換する場合には、清掃具３０の支持アーム３３ｂの係合突起３３ｃ−３との係合を解除した後、該支持アーム３３ｂを弾性部３３ｂ−１を中心として略９０°回動させてこれを図３に示すように略垂直状態に保てば、これに取り付けられた一方の清掃パッド３４ａが帯電線２８から離れて帯電線２８の交換作業を阻害しない位置に退避するため、帯電線２８を作業性良く交換することが可能となる。そして、帯電線２８を新しいものと交換した後は、支持アーム３３ｂを弾性部３３ｂ−１を中心として元の方向に略９０°回動させてこれを係合突起３３ｃ−３に係合せしめれば、清掃具３０は再び図１及び図２に示す状態に復帰し、該清掃具３０を帯電線２８の清掃に供することができる。
【００３２】
又、本実施例によれば、パッド支持体３３は支柱３２によって上下動自在（感光体１の対向面Ｓ１に対して垂直方向に移動自在）に支持され、従って、清掃パッド３４ａ，３４ｂも同様に上下動自在に支持されているため、該清掃パッド３４ａ，３４ｂは帯電線２８を常に確実に挟むこととなり、帯電線２８はその全周が完全に清掃されてその放電能力が一層高められる。
【００３３】
尚、以上は清掃具３０を転写帯電器４に設けた例について述べたが、同様の清掃具は分離帯電器５にも設けられている。
【００３４】
【発明の効果】
以上の説明で明らかなように、請求項１記載の発明によれば、一対の清掃パッドはその合面（清掃面）が像担持体の対向面と平行になるように配置されるため、帯電線の像担持体に対向する面（像担持体に対する放電に最も寄与する面）が清掃パッドによって確実に清掃され、該帯電線の放電能力がより一層高められる。又、像担持体側の一方の清掃パッドを、帯電線を清掃する場合の合面を形成する位置と、帯電線を交換する場合の合面を形成しない位置との間を、帯電線の軸直角平面内で回動可能とし、パッド支持体を支柱から取り外すことなく帯電線を交換可能に構成したため、帯電線を作業性良く交換することが可能となるという効果が得られる。
【図面の簡単な説明】
【図１】本発明に係る清掃具を備える転写帯電器及び感光体の断面図である。
【図２】本発明に係る清掃具の清掃時の状態を示す断面図である。
【図３】本発明に係る清掃具の帯電線交換時の状態を示す断面図である。
【図４】複写機の縦断面図である。
【図５】従来の清掃具を備える転写帯電器及び感光体の断面図である。
【図６】従来の清掃具の断面図である。
【図７】従来の清掃具を備える転写帯電器及び感光体の断面図である。
【符号の説明】
１              感光体（像担持体）
４              転写帯電器（帯電器）
５              分離帯電器（帯電器）
２８            帯電線
３０            清掃具
３４ａ，３４ｂ  清掃パッド
Ｓ１            感光体の対向面
Ｓ２            清掃パッドの合面
【図１】
0003740181.tif 000002
【図２】
0003740181.tif 000003
【図３】
0003740181.tif 000004
【図４】
0003740181.tif 000005
【図５】
0003740181.tif 000006
【図６】
0003740181.tif 000007
【図７】
0003740181.tif 000008